(57)【特許請求の範囲】
【請求項１】
内部に組み込まれた少なくとも１つの光源を備える、延伸織布三次元構造体の為のリバンド三次元構造体の為のリバンドであって、
前記延伸織布（２，３）の固着要素（１１，１２）を受けるように設計された舌部（６，２１，４３）によって分離された２つの隣接した凹部（４，５，１９，２０，４１，４２）を備え、
前記凹部の各々は、底部と、前記舌部を形成する内側壁と、外側壁とを備え、前記外側壁の各々は、前記リバンドの周辺翼部（１３，１４，２７，２８，４９，５０）を画成し、
前記リバンドは、光源のための少なくとも１つの受容ノッチ（１６，３０，５１，５２，５３）が設けられた周面を有することを特徴とする、リバンド（１，１８，４０）。
【請求項２】
前記リバンドは、前記凹部（４１，４２）の反対側に開口を有する受容ノッチ（５１）を備えることを特徴とする、請求項１に記載の三次元構造体の為のリバンド（１，１８，４０）。
【請求項３】
前記リバンドは、第２受容ノッチ（５２）および第３受容ノッチ（５３）を備え、これらは、前記凹部（４１，４２）の反対側に開口を有する前記受容ノッチ（５１）の両側に配置されることを特徴とする、請求項２に記載の三次元構造体の為のリバンド（１，１８，４０）。
【請求項４】
前記第２受容ノッチ（５２）および前記第３受容ノッチ（５３）は、前記凹部（４１，４２）の反対側に開口を有する前記受容ノッチ（５１）から等間隔にあることを特徴とする、請求項３に記載の三次元構造体の為のリバンド（１，１８，４０）。
【請求項５】
前記周辺翼部は、光源のための受容ノッチを画成することを特徴とする、請求項１〜４のいずれか一項に記載の三次元構造体の為のリバンド（１，１８，４０）。
【請求項６】
前記周辺翼部（１３，１４，２７，２８，４９，５０）は、丸みが付けられた接合部によって、前記隣接した凹部の前記外側壁の端部に接続され、周辺翼部の外面は、横断的に丸みが付けられた部分を画成し、それに対して前記延伸織布が寄りかかり、前記光源を組み込む反対側の周辺翼部の外面で一定の容積を作り出すことを特徴とする、請求項１〜５のいずれか一項に記載の三次元構造体の為のリバンド（１，１８，４０）。
【請求項７】
延伸織布を支える前記周辺翼部の前記丸みが付けられた部分は、前記凹部の深さに等しい半径を持つ円の少なくとも４分の１にわたり延びていることを特徴とする、請求項６に記載の三次元構造体の為のリバンド（１，１８，４０）。
【請求項８】
延伸織布を支える前記周辺翼部の前記丸みが付けられた部分は、前記凹部の前記深さに等しい半径を持つ円の少なくとも４分の１にわたって延びていることを特徴とする、請求項７に記載の三次元構造体の為のリバンド（１，１８，４０）。
【請求項９】
延伸織布を支える前記周辺翼部は、少なくとも１つの光源を受容する為のノッチ（１６）を備えることを特徴とする、請求項６または７に記載の三次元構造体の為のリバンド（１，１８，４０）。
【請求項１０】
前記光源は、前記リバンド（１）に組み込まれる発光ダイオードで形成されることを特徴とする、請求項１〜７のいずれか一項に記載の三次元構造体の為のリバンド（１，１８，４０）。
【請求項１１】
前記隣接した凹部（４，５，１９，２０，４１，４２）および前記受容ノッチは、互いに平行な面に配置されることを特徴とする、請求項１〜１０のいずれか一項に記載の三次元構造体の為のリバンド（１，１８，４０）。
【請求項１２】
前記凹部（４，５，１９，２０，４１，４２）は、前記延伸織布（２，３）の前記固着要素（１１，１２）を保持する為の肩部（７，８，９，１０，２５，２５，４７，４８）を備え、
前記肩部（７，８，９，１０，２５，２６，４７，４８）は、前記凹部（４，５，１９，２０，４１，４２）の外側側壁にあり、さらに／あるいは、前記舌部（６，２１，４３）の各側部にあることを特徴とする、請求項１〜１１のいずれか一項に記載の三次元構造体の為のリバンド（１，１８，４０）。
【請求項１３】
請求項１〜９のいずれか一項に記載のリバンドから成る少なくとも一つのプロファイルを備え、突き合わせて接合され、延伸織布（２，３）によって覆われる照光式三次元構造体。
【発明の詳細な説明】
【発明の技術分野】
【０００１】
[001]本発明は、特に、ふかし壁、吊天井、飾りパーティーション、装飾構造体のような延伸織布三次元構造体の分野に関する。
【０００２】
[002]本発明は、より具体的には、延伸織布が付けられるリバンド（ribband）を備えた延伸織布三次元構造体の為の照光式リバンドに関する。
【０００３】
【技術状態】
【０００４】
[003]特許FR2985298から、ふかし壁は、知られており、リバンドに組み込まれた発光ダイオード形式の少なくとも一つの光源によりバックライトで照らされ、フレームに掛ける手段が設けられた縁部に掛けられる少なくとも１枚の半透明ソフトシートから成るが、前記フレームは、突き合わされたプロファイルから形成されるリバンドから成り、前記ソフトシートを張ったまま掛ける前記手段と協働可能な受容要素を備える。
【０００５】
[004]しかしながら、前述した出願で説明されたリバンドは、多くの欠点を有する。
【０００６】
従来技術によるリバンドは、率直な円形または湾曲した形状を得ることが可能ではない。
【０００７】
さらに、これらのリバンドによって形成された縁部は、突き出ており、これが、所望の最終的な結果によっては、有害であり、不格好になる場合がある。
【０００８】
[005]本発明は、バックライト三次元構造体の為の照光式リバンドを提供することによって、これらの問題を解決することを目的とする。
【０００９】
【発明の目的】
【００１０】
[006]このため、第１態様にしたがって、本発明は、中に組み込まれる少なくとも一つの光源を備えた、延伸織布三次元構造体の為のリバンドを提示する。リバンドは、延伸織布の固着要素を受けるように設計された舌部によって分離される、隣接した２つの凹部を備え、凹部の各々は、底部、舌部を形成する内側壁、リバンドの周辺翼部を画成する外側壁を備える。
【００１１】
[007]本願において、舌部、すなわち前記内側壁を形成する凹部の側壁の反対側の凹部の側壁は、外部として定義されている。
【００１２】
[008]リバンドは、どんな材料（例えば、アルミニウムのような金属、ポリ塩化ビニル（ＰＶＣ）のようなプラスチック）からも作られる。
【００１３】
[009]本発明によるリバンドは、突き合わされ、一定のプロファイルを形成するが、前記プロファイルは、これらのリバンドが使用される三次元構造体のフレームワークに貢献する。リバンドは、延伸された織布が据え付けられるときに隠れる。このリバンドは、三次元構造体の形成を可能にし、その全ての面が目に見えるか、所望の結果に従って、確かに装飾される。このリバンドは、突出しない縁部に加えて、湾曲または丸みが付けられた形状を得ることも可能にする。これが、完全な美的成果を生じさせ、リバンド上の織布やリバンド周囲の織布との接触のため延伸織布が破裂したり、破れるリスクを避ける。延伸された織布の摩耗は、同様に遅くなる。このリバンドは、両面が見える吊天井、ふかし壁を形成するように、織布に張力をかけるのに役立つ。同様に、このリバンドの特定形状は、発光ダイオードが照光されるとき、投影を生じさせない。
【００１４】
[0010]延伸された織布は、好ましくは半透明または光を透過させることができる。それらは、織り込まれても、着色されても、飾りがなくても、印刷されても、塗装されてもよく、どのような形式の装飾を特徴としてもよいが、光や影の効果を得るため、光を透過させない領域を有する。
【００１５】
[0011]発光ダイオードは、有色発光ダイオードでも、パワー発光ダイオードでもよい。
【００１６】
[0012]有利なことに、照光式リバンドは、光源の為に少なくとも一つの受容ノッチが設けられた周面を特徴とする。
【００１７】
[0013]特別な構成によると、リバンドは、受容ノッチを有し、受容ノッチは、凹部の反対側に開口を有する。リバンドは、他に２つの受容ノッチを有してもよく、これらは、凹部の反対側に開口を呈するノッチの両側に配置されている。有利なことに、受容部の反対側に開口を呈するノッチの両側に配置された受容ノッチは、それらから等間隔に配置されている。
【００１８】
[0014]有利なことに、リバンドの周辺翼部は隣接した凹部の外側壁の端部に、丸みが付けられた接合部によって連結され、周辺翼部の外面は、丸みが付けられた部分を横断的に画成し、この丸みが付けられた部分に延伸織布が載置して一定の大きさを作り出し、反対側の翼部の外面が光源を組み込む。
【００１９】
[0015]リバンドは２つの周辺翼部を備え、第１翼部は、凹部の外側壁との、丸みが付けられた接合部から延び、第２翼部は、隣接した凹部の外側壁との、丸みが付けられた接合部から延びている。これら２つの翼部は、２つの凹部を分離する舌部に関して必ずしも対称ではない。第１翼部の外面は、延伸織布の為の支持体として役立つ、丸みが付けられた部分を横断的に画成する。この翼の部分の湾曲形状が、織布の破れを避け、三次元構造体の、より広い多様性を生み出し、剪断のリスクを有することなく延伸織布の間に多くの隙間を生み出すことを可能にする。
【００２０】
[0016]有利なことに、周辺翼部は、光源の為の受容ノッチを画成するように配置されている。この構成において、周辺翼部は、都合の良いことに、舌部に関して対称になっている。
【００２１】
[0017]リバンドの横断面が実質的に円形、あるいは、先端を切った円形状であるとき、この丸みが付けられた部分は、凹部の深さと実質的に同一の半径の円の少なくとも４分の１にわたって非限定的に延びてもよい。
【００２２】
[0018]代替案によると、この丸みが付けられた部分は、凹部の深さと実質的に同一の半径を持つ少なくとも半円にわたって延びている。
【００２３】
[0019]他の代替案によると、この丸みが付けられた部分は、凹部の深さと実質的に同一の半径を持つ円の４分の３にわたって延びている。
【００２４】
[0020]実施形態によると、延伸織布を支持する翼部の反対側の周辺翼部は、少なくとも一つの光源の為の受容ノッチを備える。
【００２５】
[0021]ノッチは光源に加えて、光源の電源システムを備えることが分かる。
【００２６】
[0022]変形例によると、その光源の少なくとも一側部分に対して、受容ノッチは形状が相補的になっており、光源はリバンドの外形を横断的にたどる。
【００２７】
[0023]一実施形態において、ノッチは直角部を形成する。
【００２８】
[0024]光源は、ネオン、光ファイバ、または、当業者に知られた他の光源である。好ましいことに、光源は、リバンドに組み込まれた発光ダイオードで形成されている。
【００２９】
[0025]本発明の好ましい実施形態によると、リバンドのノッチおよび隣接した凹部は、互いに平行な面に配置されている。
【００３０】
[0026]この特定配置の凹部は、１つまたは２つの織布に張力をかけることを可能にする。２つの織布が据え付けられ、凹部当たり１つの延伸織布が付けられるとき、一方は、例えば、１８０°を通してリバンドの周りを部分的に包み込み、他方は、最初の織布に対して平行に張力がかけられ、リバンドの高さの２つの織布間の隙間の限界を定めてもよい。光源は、織布間の隙間の方に配置されるのが好ましく、そのために、延伸織布上のリバンドの投影を避ける。明らかに分かることは、２つの織布間の隙間が、最終的三次元構造体の形状に従うリバンドの高さより高いか、同一であってもよいことである。この隙間は、リバンドからの距離が大きくなるにつれて広げられてもよい。
【００３１】
[0027]好ましい実施形態によると、舌部によって分離された隣接凹部は、延伸織布の固着要素を保持する為の肩部を備え、前記肩部は、凹部の外側壁、および／または、舌部の各側部にある。
【００３２】
[0028]それにもかかわらず好ましい実施形態によると、凹部の外側壁の肩部は、舌部の壁の肩部に関して反対側に配置されている。
【００３３】
[0029]凹部は、壁に肩部を備え、延伸織布を固着する為の保持用停止部を形成することが分かる。延伸織布は、フックや、当業者に知られた他の手段のような固着要素を備え、リバンドに織布を掛けることや織布に張力をかけることを可能にする。
【００３４】
[0030]本発明は、照光式リバンドから成る少なくとも一つのプロファイルを備え、突き合わせて接合され、延伸織布によって覆われる照光式三次元構造体にも関連する。
【図面の簡単な説明】
【００３５】
[0031]更なる本発明の目的および利点は、添付図面を参照した以下の説明から明らかになろう。
【図１】図１は、三次元構造体の為の発明に従う管状リバンドの例示的な第１実施形態の断面図を示す。
【図２】図２は、２つの延伸織布が吊されている、図１における管状リバンドの断面図を示す。
【図３】図３は、三次元構造体の為の発明に従う管状リバンドの例示的な第２実施形態の断面図を示す。
【図４】図４は、三次元構造体の為の発明に従う管状リバンドの例示的な他の実施形態の断面図を示す。[0032]より明確にするため、同一実施形態を参照する全ての図面において、同一または類似の特徴は、同一符合によって識別されている。
【００３６】
【図面の詳細な説明】
【００３７】
[0033]図１−図４に示されたリバンドは、三次元、特に、延伸織布が配置される装飾物、構造体の為のプロファイルを形成するように設計されている。
【００３８】
[0034]図１は、実質的に円形横断面を持つ、第１実施形態に係る照光式リバンド（１）を示す。
【００３９】
[0035]図２は、２つの延伸織布（２，３）が掛けられた実質的に円形横断面を持つ、この第１実施形態の照光式リバンド（１）を示す。
【００４０】
[0036]この第１実施形態の照光式リバンド（１）は、実質的に円形横断面を有する。リバンド（１）は、舌部（６）によって分離された、寸法が同一の、隣接した２つの凹部（４，５）を備える。これらの凹部は、同一の深さおよび幅を有する。それらは、各々が、底部、舌部（６）の側部を形成する内側壁、外側壁を備える。
【００４１】
[0037]これらの凹部（４，５）は、舌部（６）に関して左右対称になっている。凹部（４，５）の外側壁は、凹部（７，８）の空洞に向けられた肩部を備える。これらの肩部（７，８）は、舌部（６）の各側部に位置された肩部（９，１０）の反対側に配置されている。これらの肩部（７，８，９，１０）は、停止部を形成し、図２に示されるように、三次元構造体上の延伸織布（２，３）の固着要素（１１，１２）を保持する。
【００４２】
[0038]リバンドは実質的に円形横断面で構成されることから、凹部（４，５）の外側壁は、リバンドの為に周辺翼部（１３，１４）を形成し、その外面は湾曲され、舌部の高さと実質的に同一の半径を持つ円をたどり、そのために凹部のそれをたどる。凹部の外側壁と翼部の外面との間の接合部（１５）は、丸みが付けられているので、凹部に付けられる延伸織布を傷つけない。周辺翼部（１３）の一つは、凹部（４）の深さと同一の半径を持つ円の４分の３にわたって延びている。この翼部（１３）は、延伸織布（３）の為の支持体として役立ち、延伸織布に対して丸みが付けられた形状を与える。
【００４３】
[0039]本発明に従う照光式管状リバンド（１）は、発光ダイオードが内部に組み込まれるノッチ（１６）を備える。このノッチ（１６）は、織布を支える翼部（１３）の反対側の周辺翼部（１４）で切り抜かれている。
【００４４】
ノッチ（１６）は、リバンドの内側の方に直角部を形成する。ノッチの直角部は、小さな縁部（１６ａ）および大きな縁部（１６ｂ）から成るのが好ましく、大きな縁部（１６ｂ）は、凹部（４，５）の壁および舌部（６）の側部に対して平行になっている。大きな縁部（１６ｂ）は、凹部（４，５）の深さと実質的に同一の高さを有する。ノッチは、発光ダイオードに加えて、ダイオードの電源システムを受容する。
【００４５】
[0040]リバンドは、凹部（４，５）の下にある空洞（１７）を更に備え、前記空洞（１７）は、呈された実施形態において、平行六面体である。本発明によるリバンドは、ガイド部（図示せず）で空洞（１７）を通って螺合されることによって、三次元構造体のフレームワークの一部を形成するように、一定のプロファイルを形成するために突き合わされている。
【００４６】
[0041]図２は、本発明に従う管状リバンドを示し、ここに、２つの延伸織布（２，３）が掛けられている。延伸された第１織布（２）は、フック（１２）によって第１凹部（５）に掛けられ、三次元構造体の面を形成している。延伸された第２織布（３）は、フック（１１）によって第２凹部（４）に掛けられ、三次元構造体の他の面を形成している。この延伸された織布（３）は、延伸織布（２，３）が完全にリバンド（１）を隠すように、およそ１８０°でリバンドの周りに配置されている。延伸された２つの織布（２，３）は、隙間を区切り、後者に、リバンドのノッチ（１３）に組み込まれた発光ダイオードの光が分散する。上記実施例は、非限定的であり、織布間の隙間は、最終的三次元構造体に従って変えてもよい。そのため、第２織布は、多少、リバンドの周りを包み込んでいる。
【００４７】
[0042]図３は、本発明の第２実施形態を示す。この第２実施形態の図示されたリバンド（１８）は、実質的に円形横断面を有する。リバンド（１８）は、舌部（２１）によって分離された寸法同一の、２つの隣接した凹部（１９，２０）を備え、これらの凹部は、同一の深さ、幅を有する。それらは、それぞれ、底部（２２）、舌部の側部を形成する内側壁（２３）、外側壁（２４）を備える。これらの凹部（１９，２０）は、舌部（２１）に関して左右対称である。凹部（２０）の外側壁（２４）は、凹部（２５）の空洞の方に向けられた肩部を備える。これらの肩部（２５）は、舌部（２１）の各側部に位置された肩部（２６）の反対側に配置されている。これらの肩部（２５，２６）は、三次元構造体で延伸される織布の固着要素を保持する為の停止部を形成する。
【００４８】
[0043]リバンド（１８）は、実質的に円形横断面で構成されているので、凹部（２４）の外側壁は、リバンドの為の周辺翼部（２７，２８）を形成し、その外面は、湾曲され、舌部の高さと実質的に同一の半径を備えた円形をたどり、そのために、凹部のそれをたどる。凹部の外側壁（２４）と翼部の外面との間の接合部は丸みが付けられているので、凹部に付けられる延伸織布を傷つけない。この第２実施形態において、周辺翼部（２７，２８）は、舌部に関して対照的であり、ノッチ（３０）を画成する。ノッチ（３０）は、凹部（１９，２０）の底部（２２）に対して平行な底部（３１）と、２つの側壁（３２，３３）とを備える。ノッチ（３０）の底部（３１）は、２つの凹部（１９，２０）の間の外側壁を分離する距離と同一の長さを更に備える。ノッチ（３０）の側壁（３３）は、凹部（２０）の外側壁（２４）と同一平面にある。そのため、翼部の各々は、凹部の外側壁（２４）の上端部間の接合部（２９）から、ノッチの側壁（３２，３３）の底端部まで、円弧で延びている。
【００４９】
[0044]ノッチ（３０）は光源を受容するように設計され、光源は、それらの電源システムと共に発光ダイオードによって特徴付けられる。ノッチ（３０）は、三次元構造体のフレームワークと協働可能である。また、リバンドは、リバンドを三次元構造体のフレームワークに付ける手段を備える。
【００５０】
[0045]図４は、本発明に従う例示的リバンドの第３実施形態を示す。
【００５１】
[0046]前述された実施形態のリバンドのように、この第３実施形態の例示的リバンド（４０）は、実質的に円形横断面を有し、舌部（４３）によって分離された、都合の良いことに同一寸法の、２つの隣接した凹部（４１，４２）を備える。同一の深さおよび幅の凹部（４１，４２）は、各々が、底部（４４）、舌部の側部を形成する内側壁（４５）、外側壁（４６）を備える。凹部（４１，４２）は、舌部（４３）に関し左右対称である。凹部（４１，４２）の外側壁（４６）は、肩部（４７）を備え、肩部（４７）は関連付けられた凹部の内側の方に向けられている。これらの肩部（４７）は、舌部（４３）の各側部に位置される肩部（４８）の反対側に配置されている。これらの肩部（４７，４８）は、三次元構造体の固着要素を保持する為の停止部を形成する。
【００５２】
[0047]リバンド（４０）は、実質的に円形断面で構成されることから、凹部（４１，４２）の外側壁は、リバンドの為の周辺翼部（４９，５０）を形成し、その周面（外面）は湾曲している。凹部の外側壁の上端部および翼部の外面の間の接合部は、丸みが付けられ、凹部に付けられる延伸織布を傷つけない。
【００５３】
[0048]この実施形態において、リバンド（４０）は、その周面において、好都合にも３つの直線状ノッチ（５１，５２，５３）を備え、これらは、発光ダイオードおよび関連付けられた電源システムを受容可能である。
【００５４】
[0049]より具体的には、ノッチの一つ（５１）は、受容部（４１，４２）の、直径で対向して位置されている。このノッチ（５１）は、図３に示された第２実施形態のリバンド（１８）のノッチ同様、凹部（４１，４２）の底部に対し平行な底部（５１０）と、２つの側壁５１１，５１２）とを備える。都合の良いことに、ノッチ（５１）の底部（５１０）は、２つの凹部（４１，４２）の外側壁（４６）の間の距離と実質的に等しい幅を有し、ノッチ（５１）の側壁（５１１，５１２）は、凹部（４１，４２）の外側壁（４６）と同一の平面で延伸している。
【００５５】
[0050]他のノッチ（５２，５３）は、ノッチ（５１）の両側に位置される。都合の良いことに、ノッチ（５２，５３）は、ノッチ（５１）から等間隔に位置され、互いに直径で対向して配置されている。そのため、それらは、それぞれ、ノッチ（５１）の開口の延伸に対して実質的に直交する平面で延びる、互いに対向した開口を有する。ノッチ（５２，５３）は、各々が、底部（５２０、５３０）と、ノッチ（５１）の底部（５１）に対して平行な２つの側壁（５２１，５２２，５３１）とを備える。ノッチ（５２，５３）の各々の底部は、互いに平行に延び、ノッチ（５１）の底部（５１０）に対して直交する。
【００５６】
[0051]有利なことに、リバンド（４０）は、実質的に矩形横断面を持ち、凹部（４１，４２）および凹部の反対側に位置されたノッチ（５１）の間に挿入された細長い空洞（５４）を備える。空洞（５４）は、リバンド（４０）の全長にわたって延びている。空洞（５４）は、第１実施形態の空洞と同一機能を有する。
【００５７】
[0052]本発明は、本発明に従う突き合わされたリバンドから成る少なくとも一つのプロファイルを備える例示的な三次元構造体にも関連する。延伸された織布は、プロファイルが突き合わされたリバンドに掛けられ、例示的な延伸織布三次元構造体を形成する。この三次元構造体は、吊天井、ふかし壁、照明器具、飾り形状、装飾要素、他の三次元照光式物体でもよい。
【００５８】
[0053]本発明は、これまでに示された例示的な実施形態に限定されないことはいうまでもない。
【図１】
0006678653.tif 000002
【図２】
0006678653.tif 000003
【図３】
0006678653.tif 000004
【図４】
0006678653.tif 000005